(57)【要約】【課題】外蓋を閉じたときの外蓋の平坦性を簡潔な構造で容易に実現しやすい箱を提供する。【解決手段】箱１は、一対の内蓋３０と、内蓋３０を覆って蓋部１２を形成する一対の外蓋４０と、を備える。一対の外蓋４０のそれぞれは、先端に、第２折り曲げ部４１と平行な第３折り曲げ部４２で折り曲げられて内蓋３０の下側へ嵌め込まれる一対の嵌め込み部４４を有し、一対の内蓋３０のそれぞれは、第１折り曲げ部３１の中心から内蓋３０が有する先端部３２の中心までを対称軸ＡＸｓとして切断された一対の分割内蓋３０ｓを有する。一対の分割内蓋３０ｓは、対称軸ＡＸｓに沿ってそれぞれ対称に、第１折り曲げ部３１の側に、嵌め込み部４４が嵌め込まれるとき内側に曲げられて相互に摩擦力を生じる摩擦部３３と、先端部３２の側に、嵌め込み部４４を整合的に位置決めする位置決め部３５と、を有する。【選択図】図１
2018039533.tif 000002
【特許請求の範囲】
【請求項１】
直方体の天面に位置する蓋部を有する箱であって、
相互に対向する一対の第１辺、および前記第１辺に隣接して相互に対向する一対の第２辺を有する底面と、
一対の前記第１辺から立ち上がって相互に向き合う一対の第１側面と、
一対の前記第２辺から立ち上がって相互に向き合い前記第１側面にそれぞれ隣接する一対の第２側面と、
一対の前記第１側面からそれぞれ延長し、前記第１側面の上端の第１折り曲げ部でそれぞれ折り曲げられて前記底面に対向する一対の内蓋と、
一対の前記第２側面からそれぞれ延長し、前記第２側面の上端の第２折り曲げ部でそれぞれ折り曲げられ、前記内蓋を覆って前記蓋部を形成する一対の外蓋と、を備え、
一対の前記外蓋のそれぞれは、先端に、前記第２折り曲げ部と平行な第３折り曲げ部で折り曲げられて前記内蓋の下側へ嵌め込まれる一対の嵌め込み部を有し、
一対の前記内蓋のそれぞれは、前記第１折り曲げ部の中心から前記内蓋が有する先端部の中心までを対称軸として切断された一対の分割内蓋を有し、
一対の前記分割内蓋は、前記対称軸に沿ってそれぞれ対称に、前記第１折り曲げ部の側に、前記嵌め込み部が嵌め込まれるとき内側に曲げられて相互に摩擦力を生じる摩擦部と、前記先端部の側に、前記嵌め込み部を整合的に位置決めする位置決め部と、を有する
ことを特徴とする箱。
【請求項２】
請求項１に記載の箱であって、
前記摩擦部は、前記第１折り曲げ部に沿って前記対称軸に対して対称に形成された切断部によって前記第１折り曲げ部から分離されている
ことを特徴とする箱。
【請求項３】
前記請求項２に記載の箱であって、
前記切断部は、一対の前記位置決め部の間の間隔で定まる位置決め幅と同じ寸法で切断されている
ことを特徴とする箱。
【請求項４】
請求項３に記載の箱であって、
前記位置決め幅は、一対の前記嵌め込み部が互いに重ねられて前記位置決め部に嵌め込まれるときの厚みと略等しい
ことを特徴とする箱。
【請求項５】
請求項１から請求項４までのいずれか一つに記載の箱であって、
前記摩擦部は、前記第２折り曲げ部に沿う方向で略３０ｍｍの摩擦長を有する
ことを特徴とする箱。
【請求項６】
請求項１から請求項５までのいずれか一つに記載の箱であって、
前記直方体は、段ボールで形成されている
ことを特徴とする箱。
【発明の詳細な説明】
【技術分野】
【０００１】
本発明は、内蓋を覆う外蓋で蓋部を形成する箱に関する。
【背景技術】
【０００２】
段ボールを適用した段ボール箱が知られている。段ボール箱は、箱本体から延長して形成された内蓋および内蓋を覆う外蓋を備える。従来の段ボール箱は、外蓋の折り曲げ部の弾性による外側への反りに対して種々の工夫を施している（例えば、特許文献１、特許文献２参照）。
【０００３】
特許文献１に開示された発明は、内蓋に形成されたスリットに外蓋の係合片を嵌め込む形態を有する。すなわち、特許文献１の技術は、内蓋にスリットを形成し、外蓋に係合片を形成して、係合片をスリットに挿入することで外蓋の閉ロック力を確保している。
特許文献２に開示された発明は、内蓋および外蓋の内、外蓋に封緘部材を取り付ける形態を有する。すなわち、特許文献２の技術は、封緘部材という本体とは別の部材を新たに取り付けることによって、外蓋を適宜に開け閉めできる形態としている。
【先行技術文献】
【特許文献】
【０００４】
【特許文献１】特開２００１−１８９５２号公報
【特許文献２】特開２０１３−２５２８８７号公報
【発明の概要】
【発明が解決しようとする課題】
【０００５】
しかし、特許文献１に記載された技術は、閉ロック力を実現するために、スリットおよび係合片を形成する工程が必要であること、係合片をスリットに挿入する工程が必要であることなど製造過程の増加に伴う工程の複雑さをもたらしている。また、特許文献２に記載された技術は、外蓋をロックして固定するために別部材としての封緘部材を準備する必要がある。また、封緘部材を取り付ける新たな工程が必要になる。
さらに、これらの従来技術では、外蓋を閉じたときに外蓋の平坦性を確保できないなどの課題が生じていた。本発明はこのような状況に鑑みてなされたものであり、外蓋を閉じたときの外蓋の平坦性を簡潔な構造で容易に実現しやすい箱を提供することを目的とする。
【課題を解決するための手段】
【０００６】
本発明に係る箱は、直方体の天面に位置する蓋部を有する箱であって、相互に対向する一対の第１辺、および前記第１辺に隣接して相互に対向する一対の第２辺を有する底面と、一対の前記第１辺から立ち上がって相互に向き合う一対の第１側面と、一対の前記第２辺から立ち上がって相互に向き合い前記第１側面にそれぞれ隣接する一対の第２側面と、一対の前記第１側面からそれぞれ延長し、前記第１側面の上端の第１折り曲げ部でそれぞれ折り曲げられて前記底面に対向する一対の内蓋と、一対の前記第２側面からそれぞれ延長し、前記第２側面の上端の第２折り曲げ部でそれぞれ折り曲げられ、前記内蓋を覆って前記蓋部を形成する一対の外蓋と、を備え、一対の前記外蓋のそれぞれは、先端に、前記第２折り曲げ部と平行な第３折り曲げ部で折り曲げられて前記内蓋の下側へ嵌め込まれる一対の嵌め込み部を有し、一対の前記内蓋のそれぞれは、前記第１折り曲げ部の中心から前記内蓋が有する先端部の中心までを対称軸として切断された一対の分割内蓋を有し、一対の前記分割内蓋は、前記対称軸に沿ってそれぞれ対称に、前記第１折り曲げ部の側に、前記嵌め込み部が嵌め込まれるとき内側に曲げられて相互に摩擦力を生じる摩擦部と、前記先端部の側に、前記嵌め込み部を整合的に位置決めする位置決め部と、を有することを特徴とする。
【０００７】
この構成により、本発明に係る箱は、外蓋が第２折り曲げ部で生じる弾性による反りを抑制する。つまり、分割内蓋が有する摩擦部の弾性で嵌め込み部の両端を加圧して保持するので、第２折り曲げ部における反りを抑制し、位置決め部で嵌め込み部の両端を除く中央領域を内蓋に嵌め込んだ状態を維持する。
本発明に係る箱は、内蓋と外蓋の形状を少し変えただけの簡潔な構造で蓋部（外蓋）の平坦性を容易に実現しやすくする。このような作用効果は箱を段ボールで形成して段ボール箱とした場合に特に有効となる。つまり、外蓋は他の部材を用いずに閉じたときの平坦性を容易に実現しやすくなる。このため、一対の外蓋に対してテープなどを張り付けて平坦性を確保する必要性が抑制される。
【０００８】
また、本発明の一実施態様に係る箱では、前記摩擦部は、前記第１折り曲げ部に沿って前記対称軸に対して対称に形成された切断部によって前記第１折り曲げ部から分離されていることを特徴とする。
また、本発明の一実施態様に係る箱では、前記切断部は、一対の前記位置決め部の間の間隔で定まる位置決め幅と同じ寸法で切断されていることを特徴とする。
また、本発明の一実施態様に係る箱では、前記位置決め幅は、一対の前記嵌め込み部が互いに重ねられて前記位置決め部に嵌め込まれるときの厚みと略等しいことを特徴とする。
また、本発明の一実施態様に係る箱では、前記摩擦部は、前記第２折り曲げ部に沿う方向で略３０ｍｍの摩擦長を有することを特徴とする。
また、本発明の一実施態様に係る箱では、前記直方体は、段ボールで形成されていることを特徴とする。
【発明の効果】
【０００９】
本発明に係る箱は、内蓋と外蓋の形状を少し変えただけの簡潔な構造で蓋部（外蓋）の平坦性を容易に実現しやすくする。このような作用効果は箱を段ボールで形成して段ボール箱とした場合に特に有効となる。つまり、外蓋は他の部材を用いずに閉じたときの平坦性を容易に実現しやすくなる。このため、一対の外蓋に対してテープなどを張り付けて平坦性を確保する必要性が抑制されるという効果を奏する。
【図面の簡単な説明】
【００１０】
【図１】本発明の実施の形態１に係る箱の内蓋を閉じ、外蓋を閉める前の状態を斜め上方から見て示す斜視図である。
【図２】図１に示した箱の外蓋を閉じた状態を平面視で示す平面図である。
【図３】図２に示した箱を矢印Ｆ３−Ｆ３の方向で見た断面状態を拡大し一部省略して示す拡大断面図である。
【図４】図２に示した箱を矢印Ｆ４−Ｆ４の方向で見た断面状態を拡大し一部省略して示す拡大断面図である。
【発明を実施するための形態】
【００１１】
以下、本発明の実施の形態について図面を参照して説明する。
図１から図４までを参照して、本実施の形態に係る箱１（段ボール箱１０）について説明する。
図１は、本発明の実施の形態１に係る箱１の内蓋３０を閉じ、外蓋４０を閉める前の状態を斜め上方から見て示す斜視図である。
図２は、図１に示した箱の外蓋４０を閉じた状態を平面視で示す平面図である。
【００１２】
直方体１１の天面に位置する蓋部１２を有する箱１は、相互に対向する一対の第１辺２１、および第１辺２１に隣接して相互に対向する一対の第２辺２２を有する底面２０と、一対の第１辺２１から立ち上がって相互に向き合う一対の第１側面２３と、一対の第２辺２２から立ち上がって相互に向き合い第１側面２３にそれぞれ隣接する一対の第２側面２４と、を備える。
箱１は、一対の第１側面２３からそれぞれ延長し、第１側面２３の上端の第１折り曲げ部３１でそれぞれ折り曲げられて底面２０に対向する一対の内蓋３０と、一対の第２側面２４からそれぞれ延長し、第２側面２４の上端の第２折り曲げ部４１でそれぞれ折り曲げられ、内蓋３０を覆って蓋部１２を形成する一対の外蓋４０と、を備える。
【００１３】
一対の外蓋４０のそれぞれは、先端に、第２折り曲げ部４１と平行な第３折り曲げ部４２で折り曲げられて内蓋３０の下側へ嵌め込まれる一対の嵌め込み部４４を有し、一対の内蓋３０のそれぞれは、第１折り曲げ部３１の中心から内蓋３０が有する先端部３２の中心までを対称軸ＡＸｓとして切断された一対の分割内蓋３０ｓを有する。
一対の分割内蓋３０ｓは、対称軸ＡＸｓに沿ってそれぞれ対称に、第１折り曲げ部３１の側に、嵌め込み部４４が嵌め込まれるとき内側に曲げられて相互に摩擦力を生じる摩擦部３３と、先端部３２の側に、嵌め込み部４４を整合的に位置決めする位置決め部３５と、を有する。
【００１４】
箱１は、一対の嵌め込み部４４を重ね合わせて一体化し、一体化した状態の嵌め込み部４４を一対の摩擦部３３に位置合わせして外力によって摩擦部３３を内側へ押し込むので、一対の外蓋４０を閉じたとき、摩擦部３３は、底面２０の方へ曲げられる。
なお、一対の嵌め込み部４４は、それぞれ個別に摩擦部３３へ押し込まれても良い。段ボールなどの素材の状態に応じて押込みが円滑に施せる形態（一方毎、あるいは一対を一括）で押し込むことが好ましい。
曲げられた摩擦部３３は弾性によって外蓋４０の側へ反る性質を有しているから、嵌め込み部４４との間で相互に摩擦力が作用する。したがって、分割内蓋３０ｓに対して底面２０の側へ嵌め込まれた嵌め込み部４４は、摩擦部３３によって固定した状態を維持する。
また、位置決め部３５に向き合う範囲の嵌め込み部４４は、位置決め部３５にそのまま嵌め込まれる。したがって、位置決め部３５に嵌め込まれた嵌め込み部４４は、嵌め込み部４４が外力で曲げた摩擦部３３で生じる摩擦力によって両側を保持された状態を維持する。
箱１は、外蓋４０が第２折り曲げ部４１で生じる弾性による反りを抑制する。つまり、分割内蓋３０ｓが有する摩擦部３３の弾性で嵌め込み部４４の両端を加圧して保持するので、第２折り曲げ部４１における反りを抑制し、位置決め部３５で嵌め込み部４４の両端を除く中央領域を内蓋３０に嵌め込んだ状態を維持する。
したがって、箱１は、内蓋３０と外蓋４０の形状を少し変えただけの簡潔な構造で蓋部１２（外蓋４０）の平坦性を容易に実現しやすくする。このような作用効果は箱１を段ボールで形成して段ボール箱１０とした場合に特に有効となる。つまり、外蓋４０は他の部材を用いずに閉じたときの平坦性を容易に実現しやすくなる。このため、一対の外蓋４０に対してテープなどを張り付けて平坦性を確保する必要性が抑制されるという効果を奏する。
【００１５】
第１折り曲げ部３１、第２折り曲げ部４１、および第３折り曲げ部４２は、箱１を作るときの基礎材（例えば、段ボール）を折り曲げて直線状に形成される。
箱１が特に段ボールで形成された場合、内蓋３０を形成する第１折り曲げ部３１は外蓋４０で押さえられるので略平面状を確保できる。これに対し、外蓋４０を形成する第２折り曲げ部４１は、相対的に内蓋３０の外側に配置されるので、第２折り曲げ部４１に外から加える曲げる力に対して元に戻ろうとする弾性が作用し、十分に曲がりきれない。
内蓋３０が分割内蓋３０ｓとされていない状態では、外蓋４０は、閉じようとしても簡単に閉まり難い形態となる。つまり、例え加圧して一旦閉めた状態にできても、弾性力によってもとの浮き上がり状態に戻り、閉めた状態つまり平坦性を維持しにくい。本実施の形態では、分割内蓋３０ｓに摩擦部３３と位置決め部３５とを共存させることで、嵌め込み部４４に対する保持力を作用させる。
つまり、外力によって一対の分割内蓋３０ｓの間の内側へ一旦嵌め込んだ嵌め込み部４４（外蓋４０）が摩擦部３３との間に作用する摩擦力によって固定され、更に、嵌め込み部４４において摩擦部３３と干渉しない部分は、位置決め部３５によって平坦性を持たせて位置決めされ外側へ戻る弾性力が作用しにくい状態となる。
なお、外蓋４０における第２折り曲げ部４１から第３折り曲げ部４２までの距離と、内蓋３０における第１折り曲げ部３１から先端部３２までの距離は、筒型（例えば、一般的に採用されている段ボール製のミカン箱）としての段ボール箱１０を作るときの工程上、通常は一致する。
【００１６】
摩擦部３３は、第１折り曲げ部３１に沿って対称軸ＡＸｓに対して対称に形成された切断部３４によって第１折り曲げ部３１から分離されている。
摩擦部３３は、切断部３４によって第１折り曲げ部３１から離されているので、嵌め込み部４４によって押されたとき、対称軸ＡＸｓから平行に離れて内側へ折り曲げられやすくなる。つまり、曲げられた摩擦部３３は、嵌め込み部４４と面同士で向き合うことになるので、互いの摩擦力を十分に確保しやすくなり、外蓋４０は十分な平坦性を確保しやすくなる。
摩擦部３３は、嵌め込み部４４によって内蓋３０より更に内側へ折り曲げられる。そのとき、摩擦部３３が第１折り曲げ部３１と一体のままでは、第１折り曲げ部３１に繋がった状態の摩擦部３３は、曲がりにくくなる。したがって、切断部３４は、摩擦部３３が嵌め込み部４４の挿入に沿って曲げられやすくする。
摩擦部３３は、第２折り曲げ部４１に沿う方向で略３０ｍｍの摩擦長Ｌｆを有することが好ましい。摩擦部３３は、３０ｍｍ程度の長さ（摩擦長Ｌｆ）を有するので、一対の嵌め込み部４４が一対の位置決め部３５に嵌め込まれたとき、位置決め部３５での嵌め込みと協働して十分な機械的強度を確保できる。
なお、摩擦長Ｌｆを３０ｍｍ程度として説明したが、摩擦長Ｌｆは、箱１の大きさによって適宜変更され、例えば４０ｍｍ程度であっても構わない。
【００１７】
切断部３４が第１折り曲げ部３１に沿って形成されたときの位置状態は、摩擦部３３が第１側面２３から離れて内側へ折り曲げられる位置であれば良く、第１折り曲げ部３１に重ねて形成されても良い。
切断部３４は、一対の位置決め部３５の間の間隔で定まる位置決め幅Ｗｓと同じ寸法で切断されていることが好ましい。つまり、切断部３４が第１折り曲げ部３１に沿って切断されている長さは、対称軸ＡＸｓに対して対称であることが好ましいから、位置決め幅Ｗｓと同じ寸法とされている。
したがって、嵌め込み部４４が押し込まれたとき、２つの摩擦部３３は、対称的に曲がりやすい。このため、嵌め込み部４４は、正確に嵌め込まれる。切断部３４の位置は、位置決め幅Ｗｓと同じ寸法で規定されるから、位置決め部３５を延長させたとして第１折り曲げ部３１と交差する位置で規定される。この構成によって、摩擦部３３は、嵌め込み部４４に対して確実に摩擦力を生じるように曲げられる。
【００１８】
摩擦部３３は、対称軸ＡＸｓに平行な位置決め部３５の縁の延長線上に折り目３３ｆを有する。つまり、摩擦部３３は、嵌め込み部４４で折り曲げられる位置（位置決め部３５の延長線上）に予め折り目３３ｆが形成される。具体的には、折り目３３ｆは、摩擦部３３の裏側（底面２０に向き合う側で、摩擦部３３が谷折りとなる側）に罫線刃（折り目３３ｆを形成するための刃）を用いて容易に精度よく形成される。
これにより、嵌め込み部４４は、摩擦部３３を底面に向けて折り曲げるので、摩擦部３３と嵌め込み部４４との間に作用する摩擦力を確保しやすい。
折り目３３ｆは、切断部３４の長さを位置決め幅Ｗｓと同一寸法にすることで容易に位置決めされる。つまり、切断部３４が位置決め幅Ｗｓと平行な方向で切断されているとき、折り目３３ｆは、位置決め部３５の延長線上で摩擦部３３が谷折りとなる位置に位置合わせされるので嵌め込み部４４との摩擦を維持した状態で折り曲げられる。
一対の分割内蓋３０ｓは、第２折り曲げ部４１に沿う方向で（対称軸ＡＸｓを中心に）互いに確実に分離されていることが好ましい。一対の摩擦部３３は、嵌め込み部４４との相互作用で摩擦力が確実に作用する必要がある。
したがって、向かい合う２つの摩擦部３３はできるだけ相互間の隙間が広がらない状態で相互に対称に配置されることが好ましい。対称軸ＡＸｓの両側の摩擦部３３の間の隙間は、素材（段ボール）を切断して摩擦部３３を形成するときに用いる刃の厚さによって定まる。このため、隣り合う摩擦部３３を形成するときに適用される刃は、摩擦部３３が単に相互に分離される程度の厚さがあれば良い。
【００１９】
第３折り曲げ部４２と交差する方向での嵌め込み部４４の長さ（嵌め込み長Ｌｔ）は、３０ｍｍ程度が好ましい。外蓋４０の第３折り曲げ部４２に沿う方向での強度を確保でき、また、分割内蓋３０ｓ（位置決め部３５）に嵌め込まれたときの強度を確保できる。また、３０ｍｍより大きい場合に比べて内蓋３０の内側での容積を確保しやすくなる。
【００２０】
直方体１１は、段ボールで形成されていることが好ましい。つまり、箱１は、段ボールで形成された外蓋４０が外側へ向かう力を内蓋３０で抑制するので、外蓋４０の外側への反りを抑制しやすい段ボール箱１０となる。
なお、段ボール箱１０を例示したが、本発明は、紙製でもプラスチック製でも同様に適用される。
【００２１】
図３は、図２に示した箱１を矢印Ｆ３−Ｆ３の方向で見た断面状態を拡大し一部省略して示す拡大断面図である。
図４は、図２に示した箱１を矢印Ｆ４−Ｆ４の方向で見た断面状態を拡大し一部省略して示す拡大断面図である。
【００２２】
位置決め幅Ｗｓは、一対の嵌め込み部４４が互いに重ねられて位置決め部３５に嵌め込まれるときの厚みＴｓと略等しい。位置決め幅Ｗｓは、一対の嵌め込み部４４が重ねられたときの厚みＴｓと略等しいので嵌め込み部４４の嵌め込みと位置決めとを確実に実現しやすい。嵌め込み部４４は、外蓋４０の端部がそのまま延長して形成されている。
位置決め幅Ｗｓと、重ねた２つの嵌め込み部４４の厚みＴｓとは略等しい寸法であるので相互に滑り合う程度の摩擦を生じる。つまり、分割内蓋３０ｓの端面と嵌め込み部４４の平面とは滑り合う位置関係を有するので正確に位置決めしやすい。したがって、位置決め幅Ｗｓは、嵌め込み部４４に対する位置決めを正確にしやすくなる。
位置決め幅Ｗｓ（一対の位置決め部３５の間の幅）は、嵌め込み部４４に対して互いに摩擦力が作用する状態とされた摩擦部３３とは異なって、嵌め込み部４４の厚みＴｓ（対向して重ねられた２枚で一対の嵌め込み部４４の板厚）と略同じ寸法に形成されている。つまり、位置決め幅Ｗｓは、２枚の嵌め込み部４４の厚みＴｓと略等しい寸法であり正確に位置決めされやすい。
例えば、厚みＴｓが１０ｍｍの場合、位置決め幅Ｗｓは、８ｍｍないし１２ｍｍ程度であれば略同様に作用する。
これにより、一対の分割内蓋３０ｓの間に嵌め込み部４４が挟まれ、隙間を抑制された状態で位置決めされる。位置決め部３５は、嵌め込み部４４の分割内蓋３０ｓへの出し入れ、すなわち外蓋４０の開閉に伴う分割内蓋３０ｓへの作用を抑制する。
つまり、平坦に閉じた外蓋４０に対する外からの開閉が容易となり、取り扱いが容易になる。また、分割内蓋３０ｓが有する位置決め部３５は、平坦となるので、外蓋４０の平坦性を維持できる。
本実施の形態では、対向する一対の位置決め部３５が有する対称軸ＡＸｓとの間の幅を合計して位置決め幅Ｗｓとしている。つまり、それぞれの分割内蓋３０ｓは、嵌め込み部４４が有する板厚（Ｔｓ／２）と略同一の幅で位置決め幅Ｗｓの半分（Ｗｓ／２）が除去され、対称軸ＡＸｓを中心として全体として２枚の嵌め込み部４４の厚みＴｓと同一寸法となる位置決め幅Ｗｓが形成されている。なお、製造工程における位置決め幅Ｗｓの形成は、内蓋３０を分割して形成する前の分割内蓋３０ｓに相当する領域に対して一括して一度に実施される。
本実施の形態に係る箱１（段ボール箱１０）は、形状に対する新規で有用な技術的思想の創作であるが、従来の製造工程（生産方法）とほとんど同様の製造工程で生産できる。
なお、摩擦部３３を配置しないで、摩擦部３３の位置に位置決め部３５を延長して外蓋４０を閉じる形状も考えられる。しかし、外蓋４０を確実に閉じた状態にすること、また閉じた状態を確実に維持すること、逆に、必要に応じて容易に開くことなどの使い勝手を考慮すると、位置決め部３５のみでの設定では本発明の作用効果（蓋の平坦性、更には開閉の容易さ）を得ることが困難であり、摩擦部３３と位置決め部３５との併用による作用、効果は極めて大きいことが認識された。
また、位置決め部３５を摩擦部３３で置き換える形状も考えられる。しかし、この場合は、外蓋４０の開閉に新たな困難性が生じ、摩擦部３３と位置決め部３５との併用による作用、効果は極めて大きいことが認識された。
【産業上の利用可能性】
【００２３】
本発明は、段ボールを使用した箱などに有効に利用できる。
【符号の説明】
【００２４】
１  箱
１０  段ボール箱
１１  直方体
１２  蓋部
２０  底面
２１  第１辺
２２  第２辺
２３  第１側面
２４  第２側面
３０  内蓋
３０ｓ  分割内蓋
３１  第１折り曲げ部
３２  先端部
３３  摩擦部
３３ｆ  折り目
３４  切断部
３５  位置決め部
４０  外蓋
４１  第２折り曲げ部
４２  第３折り曲げ部
４４  嵌め込み部
ＡＸｓ対称軸
Ｌｆ  摩擦長
Ｌｔ  嵌め込み長
Ｔｓ  厚み
Ｗｓ  位置決め幅
【図１】
2018039533.tif 000003
【図２】
2018039533.tif 000004
【図３】
2018039533.tif 000005
【図４】
2018039533.tif 000006